(57)【特許請求の範囲】
【請求項１】
片面の全面に粘着剤層（２）を積層した基材シート（１）に接着部（５）と取手部（３）を形成した貼付シートにおいて、
接着部（５）は、前記粘着剤層（２）により被着物に強固に接着する部分であり、
取手部（３）は、基材シート（１）の前記粘着剤層（２）の表面に非接着性の樹脂塗膜を施して形成されており、
接着部（５）と取手部（３）の間には折り曲げ手段（６）があり、
該取手部（３）には、基材シート（１）の粘着剤層（２）の表面を前記樹脂塗膜により被覆した非接着部（４ａ）と、該粘着剤層（２）の表面が弱接着になるように前記樹脂塗膜を設けた仮接着部（４ｂ）とが形成されていることを特徴とする取手用貼付シート。
【発明の詳細な説明】
【０００１】
【発明の属する技術分野】
本発明は、物品に貼付して取手として使用出来る貼付シート、特に食品容器の蓋等に貼付して取手として使用できる貼付用シートに関するものである。
【０００２】
【従来の技術】
従来より、プラスチックのトレーやどんぶりに弁当や各種惣菜等が入れられて販売されており、これらを購入した消費者は電子レンジによって加熱して食することが多くある。
これらの容器には、容器の開口部を覆う蓋が嵌せられて、電子レンジで調理されることが多いが、このとき食品が加熱されることによりこの蓋も熱くなってしまうため、消費者は蓋を取り除くために注意が必要であった。
特に最近は、煮魚や中華丼の具等の液体が多く入った電子レンジ調理用食品も多くなっており、問題になっていた。
【０００３】
【発明が解決しようとする課題】
本発明は、上記問題点を解決し、食品容器の蓋等に貼付するだけで蓋等を持ち上げることができる、安価で簡易な貼付シートを提供することを課題とする。
【０００４】
【課題を解決するための手段】
本発明が、上記課題を解決するための手段としては、片面の全面に粘着剤層（２）を積層した基材シート（１）に接着部（５）と取手部（３）を形成した貼付シートにおいて、接着部（５）は、前記粘着剤層（２）により被着物に強固に接着する部分であり、取手部（３）は、基材シート（１）の前記粘着剤層（２）の表面に非接着性の樹脂塗膜を施して形成されており、接着部（５）と取手部（３）の間には折り曲げ手段（６）があり、該取手部（３）には、基材シート（１）の粘着剤層（２）の表面を前記樹脂塗膜により被覆した非接着部（４ａ）と、該粘着剤層（２）の表面が弱接着になるように前記樹脂塗膜を設けた仮接着部（４ｂ）とが形成されていることを特徴とする取手用貼付シートである。
【０００５】
この取手用貼付シートによれば粘着剤（接着部）によって、被着物（蓋等）に簡単に貼付することができ、また、取手部を折り曲げ手段により折り起すことで取手部を容易に起して蓋等を持ち上げることができる。
また、仮接着部によって、取手部が不意に起き上らないように被着物に固定しておくことができるのである。
【０００６】
【発明の実施形態】
次に、本発明の実施形態を図面を参照して説明する。
図１、図２は本発明の貼付シート１０を示している。
１は、紙、合成紙やプラスチックフィルム等よりなる基材シートで、片面（図面下側）の全面にアクリル系やゴム系等の粘着剤が塗布された粘着剤層２が形成されている。
また、基材シート１の上面には、各種表示（商品名、注意書等）の印刷（図示省略）が施されている。
５は、粘着剤層２により被着物に強固に接着する接着部である。
３は取手部で、基材シート１の粘着剤層２の表面に非接着性の樹脂塗膜を施して形成されている。
取手部３は、ほとんど接着性のない非接着部４ａと被着物に剥離可能な程度の弱い接着性を有する仮接着部４ｂより形成されている。
仮接着部４ｂは、取手部３が不必要な時には起き上らないように被着物に弱く固定するものであり、接着部５と対称的な位置に部分的に設けられている。
６は、基材シート１を容易に折り曲げられるように施された、ミシン目線、ハーフカット、押罫線等の折り曲げ手段である。
７は、取手部３の先端に形成された摘み片で、裏面は非接着部４ａとなっている。
【０００７】
次に、本発明の貼付シート１０の製造方法の一例について説明する。先ず、片面に粘着剤層２が設けられて離型紙に積層された幅広の基材シート１を準備し、該基材シート１の表面に表示等の印刷を施すとともに、一旦基材シート１を離型紙より剥離し、粘着剤層２の表面に非接着性の樹脂を取手部３を形成する部分に印刷版によって塗布する。このとき該非接着性の樹脂は、非接着部４ａになる部分の粘着剤層２の表面を９０〜１００％程度覆う連続被膜（実質的に非接着となる程度）として形成し仮接着部４ｂになる部分は粘着剤層２の表面を３０〜８０％程度覆う断続被膜（剥離容易に固定できる程度）として形成する。
【０００８】
このような、断続被膜を形成するためには、印刷の網点を調整したり、細かな網目や縞状の模様を印刷したりして行う。
また接着力の調整のためには非接着性樹脂層の厚みを変化させて行うこともできる。
尚、非接着性樹脂層としては、アクリル系、ポリエステル系等の樹脂や紫外線硬化タイプの樹脂よりなるコーティング剤や印刷インキが使用できる。
【０００９】
そして、前記剥離した離型紙を再度積層した後、ミシン刃等によって折り曲げ手段６を設けるとともに貼付シート１０を外周形状（図面では、摘み部７を有する円形）に打ち抜いて、周囲の不要部分を取り除くと、離型紙に保持された貼付シート１０となる。
【００１０】
本発明の貼付シート１０は、以上のように製造され、例えば離型紙より剥離して図３（イ）に示すように容器の蓋材等の被着体１１に貼付して使用される。
このとき貼付シート１０は接着部５によって接着されるとともに取手部３も仮接着部４ｂよって被着体１１の表面に剥離可能に固定される。
従って、容器等の被着体１１の流通時に取手部５が浮き上ったりすることがない。
【００１１】
また、例えば容器の内容物（食品）を電子レンジにより加熱調理した後で蓋材１１を容器から取り除く時に、非接着部４ａ（取手部３）を持ち上げれば、指先が熱い蓋材にほとんど触れることなく、蓋材を取り去ることができる。
【００１２】
尚、本発明の貼付シート１０は、上記実施形態に限定されるものではない。
例えば、接着部５を強粘着剤で形成し、取手部３の非接着部４ａは粘着剤を塗布しないで基材シート１を露出させて形成し、仮接着部４ｂを弱粘着剤塗布により形成してもよく、また、適宜感熱性の接着剤を使用してもよい。
【００１３】
更に貼付シート１０の形状も上述のような摘み部７を有する円形に限られず、楕円や各種の多角形状等も可能であり、仮接着部４ｂの位置や面積等も任意に設定できる。
【００１４】
【発明の効果】
本発明の貼付シート１０は、上述のように被着物に簡単に貼り付けるだけで持ち上げ用等の取手として使用できるとともに、不要時には、取手部を被着体に固定しておくことができる。
【００１５】
また、取手部を基材シート１の粘着剤層２の表面を非接着性の塗膜によって被覆して形成した場合は、製造が容易で安価にできるものとなる。
【図面の簡単な説明】
【図１】（イ）本発明の貼付シートの一例を示す斜視図。
（ロ）同、使用時の斜視図。
【図２】（イ）本発明の貼付シートの一例を示す裏面平面図。
（ロ）（イ）のＡ−Ａ線断面図。
【図３】（イ）本発明の貼付シートの使用例を示す断面図。
（ロ）本発明の貼付シートの使用例を示す断面図。
【符号の説明】
１．基材シート      ２．粘着剤層      ３．取手部      ４ａ．非接着部
４ｂ．仮接着部      ５．接着部      ６．折り曲げ手段
【図１】
0004093432.tif 000002
【図２】
0004093432.tif 000003
【図３】
0004093432.tif 000004